(57)【特許請求の範囲】
【請求項１】
少なくとも表面側の素材が異なる二種類のガーデン部材をそれぞれ複数用意しておき、
一方の種類のガーデン部材は発泡樹脂で形成された基板とこの基板上に貼着された石板または木板とから構成された規格化された平面視正方形状のものであり、
他方の種類のガーデン部材は樹脂で形成された人工土壌に芝生を植えてなる規格化された平面視正方形状もの、または、枠体内に人工土壌が充填されこの人工土壌上に芝生または苔が植えられてなる規格化された平面視正方形状もの、または枠体内に基板が挿入されこの基板上に砂利が敷き詰められてなる規格化された平面視正方形状ものであり、
ガーデンを造成すべき場所に、透水性シートを敷いた後、該透水性シート上に、前記二種類のガーデン部材を、一方の種類のガーデン部材と他方の種類のガーデン部材とを平面視碁盤格子状にかつ互に縦横に隣接するように並設した後、外周側に位置して互いに隣接するガーデン部材どうしを連結金具の一方の端部と他方の端部とをそれぞれ互いに隣接するガーデン部材の側面に刺し込むことによって連結することを特徴とするガーデン造成方法。
【発明の詳細な説明】
【０００１】
【発明の属する技術分野】
本発明は、建物の屋上、バルコニー、あるいは敷地内に容易にガーデンを造成することができるガーデン造成方法に関するものである。
【０００２】
【背景の技術】
建物の屋上、バルコニー等にガーデンを造る場合、レンガ、ブロック、コンクリート等でガーデンの枠組みをして、この枠組内に庭土を投入して均し、さらに、ここに植栽や玉砂利等を施したり、あるいは、前記屋上やバルコニーに、単に、植木鉢やプランタ等を適当に配置したりしている場合が多い。
【０００３】
【発明が解決しようとする課題】
ところが、前者の場合、ガーデンを造る部材が、レンガ、ブロック、コンクリート、庭土、植栽、玉砂利等と多岐にわたるため、これらを揃えて屋上やバルコニーに搬入するのは、相当の手間がかかるとともに、特に庭土はそれが多量になると、クレーン等を利用して搬入しなければならないので、かなり大掛かりなものとなっていた。
一方、後者の場合、植木鉢やプランタを適当に配置したり、集合させただけでは、総合的に統一性のとれた美しい景観のガーデンとするのは難しかった。
【０００４】
本発明は、上記事情に鑑みてなされたもので、建物の屋上、バルコニー、あるいは敷地内に、総合的に統一性のとれた美しい景観のガーデンを容易に造成することができるガーデン造成方法を提供することを目的としている。
【０００５】
【課題を解決するための手段】
上記目的を達成するために、本発明の請求項１のガーデン造成方法は、少なくとも表面側の素材が異なる二種類のガーデン部材をそれぞれ複数用意しておき、
一方の種類のガーデン部材は発泡樹脂で形成された基板とこの基板上に貼着された石板または木板とから構成された規格化された平面視正方形状のものであり、
他方の種類のガーデン部材は樹脂で形成された人工土壌に芝生を植えてなる規格化された平面視正方形状もの、または、枠体内に人工土壌が充填されこの人工土壌上に芝生または苔が植えられてなる規格化された平面視正方形状もの、または枠体内に基板が挿入されこの基板上に砂利が敷き詰められてなる規格化された平面視正方形状ものであり、
ガーデンを造成すべき場所に、透水性シートを敷いた後、該透水性シート上に、前記二種類のガーデン部材を、一方の種類のガーデン部材と他方の種類のガーデン部材とを平面視碁盤格子状にかつ互に縦横に隣接するように並設した後、外周側に位置して互いに隣接するガーデン部材どうしを連結金具の一方の端部と他方の端部とをそれぞれ互いに隣接するガーデン部材の側面に刺し込むことによって連結することを特徴としている。
【０００６】
前記規格化されたガーデン部材１，２とは、その全体的な大きさ、形状が統一化されたもので、例えば、縦横の長さが４００mm程度、高さが１２０mm程度の略直方体状のものが挙げれるが、該ガーデン部材の大きさ、形状はこれに限ることなく、作業者が持ち運べる程度の大きさ、形状のものであればどのようなものでもよい。
【０００７】
また、前記ガーデン部材の種類としては、ガーデンを構成する材料を使用した部材であり、下記のようなものが挙げられる。
（１）図４に示すように、発泡樹脂で形成された平面視正方形状の基板１ａ上に、御影石、人工大理石等の石からなる平面視正方形状の石板１ｂを貼着したもの。
（２）図５に示すように、樹脂で形成された人工土壌２ｂに芝生２ｃを植えたもの。
（３）図１１に示すように、前記基板１ａ上に、合板、ムク板等からなる平面視正方形状の木板２１ａを貼着したもの。
【０００８】
（４）図１７および図１８に示すように、矩形箱状をなす枠体２ａの内部に人工土壌２ｂを充填し、この人工土壌上に芝生２ｃを植えたもの。なお、前記枠体２ａの材質としては、例えばステンレスが好適に使用されるが、ステンレス以外の金属、樹脂、陶磁器、セラミック等何を使用してもよい。
（５）図１２および図１３に示すように、前記枠体２ａの内部に人工土壌２ｂを充填し、この人工土壌上に苔２２ａ植えたもの。なお、人工土壌上に苔２２ａを植える場合、例えば、苔の菌を植え付けた紙等のシート２２ｂを人工土壌２ｂ上に配することにより行う。
【０００９】
（６）図１４および図１５に示すように、前記枠体２ａの内部に発泡樹脂で形成され、かつ、高さが枠体の深さより低く設定された前記基板１ａを挿入し、この基板上に砂利２３ａを敷き詰めたもの。
また、前記ガーデンを形成すべき場所とは、建物の屋上、バルコニー、サンルーム等の建物の一部であったり、また、敷地内の地盤上であってもよい。
【００１０】
請求項１のガーデン造成方法にあっては、例えば図１〜図３に示すように、ガーデンを造成すべき場所３に、透水性シートＳを敷いた後、該透水性シートＳ上に、規格化された複数のガーデン部材１，２を順次並設していくことによって、建物の屋上、バルコニー、あるいは敷地内に、総合的に統一性のとれた美しい景観のガーデンが造成される。
また、透水性シートＳを敷いているので、透水性シートＳによってガーデンを造成すべき場所３が保護される。
【００１１】
さらに、並設するガーデン部材の種類を適宜選択することで、バラエティに富んだガーデンが造成される。
加えて、複数のガーデン部材１…、２…を並設しているので、ガーデン部材１，２の一部が破損したり、老朽化した場合等に、これらガーデン部材１，２を新しいガーデン部材１，２と交換することで、容易に復旧することができる。
【００１３】
また、平面視正方形状のガーデン部材１，２を平面視碁盤格子状に並設していくことで、ガーデン部材１，２どうしを隙間なく敷き詰めることができ、総合的に統一性のとれた美しい景観のガーデンが造成される。
【００１６】
また、二種類のガーデン部材１，２を、一方の種類のガーデン部材１と他方の種類のガーデン部材２とが互に縦横に隣接するように並設していくことで、平面視において市松模様を呈する総合的に統一性のとれた美しい景観のガーデンが造成される。
【００１８】
また、外周側に位置するガーデン部材１，２を互いに連結することによって、外周側のガーデン部材１，２が、その縦横方向への移動を規制される。したがって、内側のガーデン部材１，２は、その縦横方向への移動が外側のガーデン部材によって規制されるので、結局のところガーデン部材全てが、その縦横方向への移動が規制され、よって、ガーデン部材全てが、所定の位置に固定されずれることがない。
【００２８】
【発明の実施の形態】
以下、図面を参照して本発明のガーデン造成方法の実施の形態の一例について説明する。
本例のガーデン造成方法では、ガーデンを造成すべき場所に、透水性シートを敷いた後、該透水性シート上に、規格化された複数のガーデン部材を順次並設していくようにしている。
【００２９】
前記ガーデンを形成すべき場所は、図１に示すように、建物の２階のバルコニー３であり、該バルコニーの外周部には壁４が設けられており、また、バルコニー３には、建物の外壁に取付けられた掃出し窓５から出入りするようになっている。
そして、まず前記バルコニー３の床面全体に、透水性シートＳを敷設する。透水性シートＳは複数枚用意しておき、互に隣接する透水性シートＳ，Ｓの縁部は重ね合わせる。
【００３０】
次に、図２および図３に示すように、前記透水性シートＳが敷設されたバルコニー３の床上に、二種類のガーデン部材１，２を碁盤格子状に並設していく。
ここで、前記ガーデン部材１，２について以下に説明する。ガーデン部材１，２は、それぞれ縦横の長さが４００mm、高さが１２０mmに大きさ、形状が統一化されたの略直方体状のものであり、以下のように構成されている。
すなわち、ガーデン部材１は、図４に示すように、基板１ａと、該基板１ａ上に貼着された石板１ｂとから構成されている。
【００３１】
前記基板１ａは、スタイロフォームと称される発泡樹脂で形成されたもので、平面視正方形状をなしており、その下面には、ガーデン部材１をバルコニー３に設置した際における水はけをよくするための、溝１ｃ，１ｃが十字状に形成されている。また、前記石板１ｂは、御影石で形成されたもので、前記基板１ａと同形、同大の平面視正方形状をなしており、前記基板１ａの上面に接着剤によって貼着されている。このような構成のガーデン部材１では、基板１ａが軽量なスタイロフォームで形成されているので、重量の軽量化を図ることができる。また、前記ガーデン部材１は、基板１ａをスタイロフォームに代えて軽量なセラミック等で形成してもよい。
なお、前記構成のガーデン部材１は、ダンボール製のパッケージに梱包されて、輸送されるようになっている。
【００３２】
また、前記ガーデン部材２は、図５に示すように、樹脂で形成された人工土壌２ｂと、この人工土壌２ｂに植えられている芝生２ｃとから構成されている。
前記人工土壌２ｂは、ポリプロピレン繊維とポリエチレン繊維を一体成形した樹脂製のマットであり、該人工土壌２ｂの上面側の繊維密度は、底面側の繊維密度に比べて低く設定されている。そして、前記人工土壌２ｂには、芝生２ｃの根が底面側まで伸びて、該芝生２ｃの根が人工土壌２ｂに強く根付いている。
【００３３】
このような、ガーデン部材２を製造するには、例えば、前記人工土壌２ｂに芝生の種あるいは発育初期の芝生を植えるとともに、該人工土壌内の水位を高水位に保持し、次いで、前記芝生の根の成長とともに、前記水位を低くしていくことで、芝生の根が水位が連れて下方に成長していって、人工土壌２ｂの底面側まで伸びて強く根付くことで製造される。
なお、前記ガーデン部材２は上記のようにして製造する他、例えば、前記人工土壌２ｂに、成長した芝生２ｃを直接設置するようにして製造してもよい。
【００３４】
そして、上記構成のガーデン部材１，２を、図２および図３に示すように、バルコニー３上に碁盤格子状に並設していく。この場合、バルコニー３のコーナ部３ａに１番目のガーデン部材１を配置し、この１番目のガーデン部材を基準として、順次ガーデン部材１，２を互に縦横に当接させつつ並設していくとともに、これら二種類のガーデン部材１，２を、一方の種類のガーデン部材１と他方の種類のガーデン部材２とが互に縦横に隣接するように並設していく。
【００３５】
また、前記バルコニー３に並設された多数のガーデン部材１，２…のうち、外周側に位置するガーデン部材１，２を互いに連結する。この連結は、コ字状の連結金具７を使用して行う。
そして、この連結金具７で、外周側において互いに隣接するガーデン部材１，２を連結するには、該連結金具７の一方の端部をガーデン部材１の発泡樹脂製の基板１ａの側面に刺し込み、また、連結金具７の他方の端部をガーデン部材２の人工土壌２ｂの側面に刺し込むことによって行う。なお、外周側のうち、入隅部において隣接するガーデン部材２，２は、略Ｍ字状をなす連結金具８で連結する。
【００３６】
このようにして、ガーデン部材１，２を並設していくことで、ガーデン部材１，２どうしを隙間なく敷き詰めることができ、平面視において市松模様を呈する総合的に統一性のとれた美しい景観のガーデンを造成することができる。また、バルコニー３の床面に透水性シートＳを敷いているので、透水性シート３によってバルコニー３の床面を保護することができる。さらに、ガーデン部材１，２の一部が破損したり、老朽化した場合等に、これらガーデン部材１，２を新しいガーデン部材１，２と交換することで、容易に復旧することができる。
【００３７】
また、外周側に位置するガーデン部材１，２、およびガーデン部材２，２を互いに連結することによって、外周側のガーデン部材１，２…が、その縦横方向への移動を規制される。したがって、内側のガーデン部材１，２は、その縦横方向への移動が外周側のガーデン部材１，２によって規制されるので、結局のところガーデン部材１，２全てが、その縦横方向への移動が規制される。よって、ガーデン部材１，２全てが、所定の位置に固定されるので、該ガーデン部材１，２のずれを防止することができる。
【００３８】
上記のようにしてガーデン部材１，２をバルコニー３の床面に並設することでガーデン部材群１０を構成した後、図６および図７に示すように、バルコニー３の床面の、前記ガーデン部材群１０から所定間隔離間した位置に、プランタ１１，１２，１３をバルコニー３の壁４に沿って設置する。
これらプランタ１１，１２，１３は、前記ガーデン部材１，２より高さが高いものであり、その高さはプランタ１１，１２，１３の順で高く設定されている。前記プランタ１１，１２，１３は、高さが異なるだけでその他は同様の構成であるので、プランタ１１の構成を以下に説明し、他のプランタ１２，１３の構成の説明は省略する。
【００３９】
すなわち、前記プランタ１１は、図８〜図９に示すように、ガーデン部材１，２より高さの高いフレーム１５と、このフレーム１５の上部に支持されたボックス１６とから構成されている。前記フレーム１５は、棒状をなすフレーム材１５ａ…を略直方体状に組み立てて形成されたもので、その底部四隅には、フレーム材１５ａから下方に突出可能に設けられて、突出長さを調整することによってフレーム１５を鉛直に設置するための設置部１７が設けられている。
また、前記ボックス１６は植物が植えられた鉢等が装填されるもので、その開口部にはフランジ部１６ａが形成されている。そして、このボックス１６は前記フレーム１５の上部開口に挿入され、フランジ部１６ａをフレーム１５の上部開口を構成するフレーム１５ａに上方から当接することによって、フレーム１５に支持されるようになっている。
【００４０】
そして、前記プランタ１１，１２，１３には、図６および図７に示すように、鉢に植えられた植物１８…を装填する。前記プランタ１１，１２，１３はガーデン部材１，２より高さが高いので、該プランタ１１，１２，１３に装填された植物１８…は、ガーデン部材１，２によって隠されることがなく、ガーデンの景観の一部を構成することができる。
また、前記プランタ１１，１２，１３と前記ガーデン部材群１０との間に、植物１９…を植えこむか、あるいは植物１９を鉢植えして設置することで、これら植物１９…によって、プランタ１１，１２，１３のフレームおよびボックスを隠す。したがって、プランタ１１，１２，１３のフレームおよびボックスはガーデンの景観から隠されるので、ガーデンの景観として好ましいものとなる。
【００４１】
一方、ガーデン部材１，２をバルコニー３の床面に並設することでガーデン部材群１０を構成した後、このガーデン部材群１０の外縁部と、バルコニー３の縁部との間に、これら間を埋める調整材２０を設置する。
すなわち、図７および図６に示すように、前記ガーデン部材群１０の右側の外縁部と、バルコニー３の右側の縁部との間に、これら間を埋める調整材２０を設置する。
前記調整材２０は芝生であり、この芝生２０を植え込むことによって、バルコニー３が、ガーデン部材１，２、調整材（芝生）２０、さらには上述したプランタ１２，１３，１４に装填された植物１８、プランタ１２，１３，１４の前方に植えこまれるかあるいは鉢植えされた植物１９によって隙間なく敷き詰められるので、美しい景観のガーデンを造成することができる。
【００４２】
なお、本例では、バルコニー３にガーデン部材１，２を並設しているが、並設するガーデン部材としては、前記ガーデン部材１，２の他にも以下のようなガーデン部材２１，２２，２３，３０が挙げられる。前記ガーデン部材２１は、図１１に示すように、前記基板１ａとこの基板１ａ上に貼着された、合板、ムク板等からなる平面視正方形状の木板２１ａとから構成されている。
【００４３】
前記ガーデン部材２２は、図１２および図１３に示すように、枠体２ａと、この枠体２ａの内部に充填された人工土壌２ｂと、この人工土壌２ｂに植え付けられた苔２２ａとから構成されている。なお、人工土壌２ｂ上に苔を植える場合、例えば、苔の菌を植え付けた紙等のシート２２ｂを人工土壌２ｂ上に配することにより行う。
前記枠体２ａはステンレスで形成された四角筒状のもので、その底面四隅部には、図示しない三角形板状の底板が設けられている。また、枠体２ａの側壁には、前記連結金具７または８を差し込むための貫通孔２ｈ…が合計で８個形成されている。
【００４４】
前記ガーデン部材２３は、図１４および図１５に示すように、前記枠体２ａと、この枠体２ａに装填された前記基板１ａと、この基板１ａ上に敷き詰められた砂利２３ａとから構成されている。
【００４５】
前記ガーデン部材３０は、図１６および図１７に示すように、枠体２ａと、この枠体２ａ内に充填された人工土壌２ｂと、この人工土壌２ｂ上に植えられた芝生２ｃとから構成されている。なお、前記ガーデン部材２１，２２，２３，２４，３０は、ガーデン部材１，２と同形、同大に形成されており、パッケージに梱包して輸送されるようになっている。
【００４６】
また、上記の例では、高さの等しいガーデン部材１，２をバルコニー３に並設するようにしたが、ガーデン部材１，２の一部に代えて、該ガーデン部材１，２と高さの異なるガーデン部材２５を並設してもよい。前記ガーデン部材２５は、図１８〜図２０に示すように、ガーデン部材１，２より高さが高いもので、その高さは２５０mm程度に設定されている。また、ガーデン部材２５の平面視における縦横の長さは前記ガーデン部材１，２と等しく設定されている。
【００４７】
前記ガーデン部材２５は、ステンレス製のもので、四角筒状に形成された枠体２５ａと、この枠体２５ａの底部に設けられた底板２５ｂとから構成されており、この底板２５ｂは、枠体２５の下端より若干上方に配設された上げ底となっている。
また、前記底板２５ｂの中央部には、水抜き用の孔２５ｃ…が形成されている。さらに、前記枠体２５ａの４枚の側板の下端部中央には、それぞれ矩形状をなす切欠部２５ｄが形成されている。この切欠部２５ｄは、ガーデン部材２５を積み重ねる際に使用されるもので、その幅は、枠体２５ａの板厚の約２倍程度に設定されている。
【００４８】
そして、前記構成のガーデン部材２５は、図２１に示すように、前記枠体２５ａ内に、直接植物２６を植え込んだり、あるいは、鉢植えされた植物を鉢ごと装填することによって使用されるようになっている。したがって、前記植物２６が植えこまれたガーデン部材２５を、前記ガーデン部材群１０を構成するガーデン部材１，２の一部に代えて、バルコニー３に設置すれば、ガーデンに凹凸が生じてガーデンの景観に立体感が醸し出されることになる。
【００４９】
また、前記ガーデン部材２５は、図２２に示すように、上下に積載してもよい。この場合、上側のガーデン部材２５に形成された前記切欠部２５ｄを下側のガーデン部材２５の枠体２５ａの側板上部に嵌合させることにより行う。このようにすれば、ガーデン部材２５…を安定的に積載することができるとともに、上側のガーデン部材２５の切欠部２５ｄによって、下側の互いに隣接するガーデン部材２５，２５どうしを連結することができる。
【００５０】
このように、ガーデン部材２５を積載すれば、ガーデンの景観に立体感が醸し出され、より美しいガーデンを造成することができる。
また、上側のガーデン部材２５の枠体２５ａを下側のガーデン部材２５の植物２６によって隠せば、ガーデンの景観として好ましいものとなる。
【００５１】
なお、上記の例では、ガーデン部材１，２を並設した後、ガーデン部材群１０の外縁部と、バルコニー３の間に調整材２０を設置するようにしたが、ガーデン部材１，２を並設するバルコニーの平面的な大きさをガーデン部材１，２の平面的な大きさの整数倍に設定すれば、前記調整材２０を設置しなくてもよい。
【００５２】
例えば、ガーデン部材１，２を並設するバルコニーを、平面視において格子状に区画し、この区画された各格子の縦横の長さを、前記ガーデン部材の縦横の長さと等しく設定することによって、前記バルコニーに、複数のガーデン部材を縦横に敷き詰めることができる。
したがって、この場合、規格化されたガーデン部材を所定個数用意し、これらをバルコニーに並設するだけで、容易にガーデンを造成することができる。
【００５３】
【発明の効果】
以上説明したように、本発明の請求項１のガーデン造成方法によれば、ガーデンを造成すべき場所に、透水性シートを敷いた後、該透水性シート上に、規格化された複数のガーデン部材を順次並設していくので、ガーデンを造成すべき場所つまり建物の屋上、バルコニー、あるいは敷地内に、総合的に統一性のとれた美しい景観のガーデンを造成することができる。また、透水性シートを敷いているので、透水性シートによってガーデンを造成すべき場所を保護することができる。
【００５４】
さらに、並設するガーデン部材の種類を適宜選択することで、バラエティに富んだガーデンを造成することができる。
加えて、複数のガーデン部材を並設しているので、ガーデン部材の一部が破損したり、老朽化した場合等に、これらガーデン部材を新しいガーデン部材と交換することで、容易に復旧することができる。
【００５５】
また、前記ガーデン部材を平面視正方形状のものとし、これらガーデン部材を平面視碁盤格子状に並設していくので、ガーデン部材どうしを隙間なく敷き詰めることができ、総合的に統一性のとれた美しい景観のガーデンを造成することができる。
【００５６】
さらに、少なくとも表面側の素材が異なる二種類のガーデン部材をそれぞれ複数用意し、これら二種類のガーデン部材を、一方の種類のガーデン部材と他方の種類のガーデン部材とが互に縦横に隣接するように並設していくので、平面視において市松模様を呈する総合的に統一性のとれた美しい景観のガーデンを造成することができる。
【００５７】
また、前記ガーデンを形成すべき場所に複数のガーデン部材を並設した後、外周側に位置して互に隣接するガーデン部材どうしを連結するので、外周側のガーデン部材、その縦横方向への移動を規制され、これによって、内側のガーデン部材も、その縦横方向への移動が外側のガーデン部材によって規制される。したがって、ガーデン部材全てが、その縦横方向への移動が規制されるので、ガーデン部材全てを、所定の位置にずれることなく容易かつ確実に固定することができる。
【図面の簡単な説明】
【図１】本発明のガーデン造成方法の一例を説明するためのもので、バルコニーに透水性シートを敷設した状態を示す平面図である。
【図２】同、バルコニーにガーデン部材を並設した状態を示す平面図である。
【図３】同、バルコニーにガーデン部材を並設している状態を示す斜視図である。
【図４】図１に示すガーデン部材の一方を示す斜視図である。
【図５】図１に示すガーデン部材の他方を示す斜視図である。
【図６】本発明のガーデン造成方法によって造成されたガーデンの一例を示す平面図である。
【図７】本発明のガーデン造成方法によって造成されたガーデンの一例を示す斜視図である。
【図８】図６に示すガーデンを構成するプランタを示すもので、プランタの平面図である。
【図９】同、プランタの正面図である。
【図１０】同、プランタの側面図である。
【図１１】ガーデン部材の第１変形例を示す斜視図である。
【図１２】ガーデン部材の第２変形例を示す分解斜視図である。
【図１３】ガーデン部材の第２変形例を示す斜視図である。
【図１４】ガーデン部材の第３変形例を示す分解斜視図である。
【図１５】ガーデン部材の第３変形例を示す斜視図である。
【図１６】ガーデン部材の第４変形例を示す斜視図である。
【図１７】ガーデン部材の第５変形例を示す分解斜視図である。
【図１８】ガーデン部材の第６変形例を示すもので、ガーデン部材の平面図である。
【図１９】同、ガーデン部材の側面図である。
【図２０】同、ガーデン部材の側断面図である。
【図２１】同、ガーデン部材に植物を装填している状態を示す斜視図である。
【図２２】同、ガーデン部材を積載している状態を示す斜視図である。
【符号の説明】
Ｓ 透水性シート
１，２，２１，２２，２３，２５，３０ ガーデン部材
３，３０ バルコニー（ガーデンを形成すべき場所）
１０ ガーデン部材群
１１，１２，１３ プランタ
２０ 芝生（調整材）
【図１】
0003841123.tif 000002
【図２】
0003841123.tif 000003
【図３】
0003841123.tif 000004
【図４】
0003841123.tif 000005
【図５】
0003841123.tif 000006
【図６】
0003841123.tif 000007
【図７】
0003841123.tif 000008
【図８】
0003841123.tif 000009
【図９】
0003841123.tif 000010
【図１０】
0003841123.tif 000011
【図１１】
0003841123.tif 000012
【図１２】
0003841123.tif 000013
【図１３】
0003841123.tif 000014
【図１４】
0003841123.tif 000015
【図１５】
0003841123.tif 000016
【図１６】
0003841123.tif 000017
【図１７】
0003841123.tif 000018
【図１８】
0003841123.tif 000019
【図１９】
0003841123.tif 000020
【図２０】
0003841123.tif 000021
【図２１】
0003841123.tif 000022
【図２２】
0003841123.tif 000023